(57)【特許請求の範囲】
【請求項１】
情報バーストの送信に反復符号化法が使用されることを検出する段階と、
前記反復符号化法が使用されることを検出したことに基づいて、前記反復符号化法の反復係数を検出する段階と、
前記情報バーストの前記送信を、少なくとも一部がハイブリッド自動再送要求（ＨＡＲＱ）信号プロトコルに準拠した複数の信号において通知し、前記複数の信号の各々は、前記反復係数と等しい数の第１の複数の連続したフレームの各々において送信される段階と、
第２の連続した複数のフレームの各々において、前記複数の信号のそれぞれに応じた前記反復符号化法が使用されない情報バーストの送信を受け取る、
を備える方法。
【請求項２】
前記複数の信号の各々は、ＨＡＲＱアップリンク媒体アクセスプロトコル情報要素（ＨＡＲＱ  ＵＬ  ＭＡＰ  ＩＥ）を含む請求項１に記載の方法。
【請求項３】
前記複数の信号の各々における前記ＨＡＲＱ  ＵＬ  ＭＡＰ  ＩＥは、同一のＡＲＱ識別子シーケンス（ＡＬ＿ＳＮ）フィールドを含む請求項２に記載の方法。
【請求項４】
少なくとも２つの受信された送信情報バーストを、合成情報バーストに合成する段階と、
前記合成情報バーストの巡回冗長符号（ＣＲＣ）を計算する段階とを更に備える請求項１から３のいずれか１項に記載の方法。
【請求項５】
前記少なくとも２つの受信された送信情報バーストの合成は、チェイス合成法（Chase combining scheme）又はＩＲ（incremental redundancy）法に準拠する請求項４に記載の方法。
【請求項６】
前記合成情報バーストの計算されたＣＲＣが正しくない場合、及び、前記第２の連像した複数のフレームの全ての送信情報バーストが受信済みである場合には、前記第１の複数の連続したフレームの各々で通知を行う段階を繰り返す段階を更に備える請求項５に記載の方法。
【請求項７】
前記第２の連続した複数のフレームの各々において、送信された情報バーストを受信する段階は、少なくとも一部、電気電子技術者協会（ＩＥＥＥ）８０２．１６ファミリーの規格、第３世代パートナーシッププロジェクト（３ＧＰＰ）ロングタームエボリューション（ＬＴＥ）規格、又は、高速ダウンリンクパケットアクセス（ＨＳＤＰＡ）規格に準拠する請求項４に記載の方法。
【請求項８】
実行されると無線ネットワーク内の第２の送信機であるコンピュータに、
第１の送信機からの情報バーストの送信に反復符号化法が使用されることを検出する段階と、
前記反復符号化法が使用されることを検出したことに基づいて、前記反復符号化法の反復係数を検出する段階と、
前記第１の送信機に対して、少なくとも一部がハイブリッド自動再送要求（ＨＡＲＱ）信号プロトコルに準拠した複数の信号により、前記情報バーストの前記送信を通知し、
前記複数の信号の各々は第１の複数の連続したフレームの各々において送信され、
前記複数の信号の各々は、第１の送信機に対して前記情報バーストを前記反復符号化法と異なる送信方法を使用して第２の複数の連続したフレームの各々において送信するように指示するデータを含む段階とを実行させ、
前記第１の複数の連続したフレームのフレーム数は、前記反復係数に等しい、
プログラム。
【請求項９】
前記複数の信号の各々は、ＨＡＲＱアップリンク媒体アクセスプロトコル情報要素（ＨＡＲＱ  ＵＬ  ＭＡＰ  ＩＥ）である請求項８に記載のプログラム。
【請求項１０】
前記ＨＡＲＱ  ＵＬ  ＭＡＰ  ＩＥの各々は、同一のＡＲＱ識別子シーケンス（ＡＬ＿ＳＮ）フィールドを含む請求項９に記載のプログラム。
【請求項１１】
実行されると前記コンピュータに、更に、
前記第２の複数の連続したフレームの少なくとも２個の情報バーストを受け取ったことに応じて、
少なくとも２つの受信された送信情報バーストを、合成情報バーストに合成する段階と、
前記合成情報バーストの巡回冗長符号（ＣＲＣ）を計算する段階を更に実行させる請求項８から１０のいずれか１項に記載のプログラム。
【請求項１２】
前記少なくとも２つの受信された送信情報バーストの合成は、チェイス合成法（Chase combining scheme）又はＩＲ（incremental redundancy）法に準拠する請求項１１に記載のプログラム。
【請求項１３】
実行されると前記コンピュータに、更に、
前記合成情報バーストの計算されたＣＲＣが正しくない場合、及び、前記第２の連像した複数のフレームの全ての送信情報バーストが受信済みである場合には、前記第１の複数の連続したフレームの各々で通知を行う段階を繰り返す段階を更に実行させる請求項１２に記載のプログラム。
【請求項１４】
前記第２の連続した複数のフレームの各々において、少なくとも２個の情報バーストを受信する段階は、少なくとも一部、電気電子技術者協会（ＩＥＥＥ）８０２．１６ファミリーの規格、第３世代パートナーシッププロジェクト（３ＧＰＰ）ロングタームエボリューション（ＬＴＥ）規格、又は、高速ダウンリンクパケットアクセス（ＨＳＤＰＡ）規格に準拠する請求項１１から１３のいずれか１項に記載のプログラム。
【請求項１５】
無線ネットワークにおける第１のノードであって、
反復符号化法を使用して情報バーストを第２のノードに送信する送信器と、
各々がハイブリッド自動再送要求（ＨＡＲＱ）信号プロトコルに準拠し、第１の複数の連続したフレームの各々において送信される、複数の信号を前記第２のノードから受信する受信器と、
を備え、
前記第１の複数の連続したフレームの数は、前記反復符号化法の反復係数に等しく、
前記送信器は、前記複数の信号を受信したことに応じて、第２の連続した複数のフレームの各々において、前記反復符号化法を使用せずに情報バーストを送信する、
ノード。
【請求項１６】
前記複数の信号の各々は、ＨＡＲＱアップリンク媒体アクセスプロトコル情報要素（ＨＡＲＱ  ＵＬ  ＭＡＰ  ＩＥ）を含む請求項１５に記載のノード。
【請求項１７】
前記複数の信号の各々における前記ＨＡＲＱ  ＵＬ  ＭＡＰ  ＩＥは、同一のＡＲＱ識別子シーケンス（ＡＬ＿ＳＮ）フィールドを含む請求項１６に記載のノード。
【請求項１８】
前記複数の信号を受信する前記受信器は、少なくとも一部が電気電子技術者協会（ＩＥＥＥ）８０２．１６標準のファミリー、第３世代パートナーシッププロジェクト（３ＧＰＰ）ロングタームエボリューション（ＬＴＥ）標準、又は、高速ダウンリンクパケットアクセス（ＨＳＤＰＡ）標準の一つに準拠する、
請求項１５から１７のいずれか１項に記載のノード。
【発明の詳細な説明】
【技術分野】
【０００１】
本発明は、無線通信の分野に関し、これに限定されないが、より詳細には、高速ハイブリッド自動再送要求プロトコルを使用した無線システムのリンクバジェットを改善することに関する。
【背景技術】
【０００２】
無線システムでは、一般的に、受信ノードは、送信される情報バーストの１トーン当りの最小電力レベルを受信する必要がある。ハイブリッド自動再送要求（ＨＡＲＱ）プロトコルでは、送信ノードによる情報バーストの再送を可能とし、受信ノードにおいて受信された情報バーストを組み合わせることを可能として、１トーン当りの受信電力を効果的に増加させることができる。送信ノードは、元の情報バーストを再送することにより、同じ電力で１トーン当り３デシベル（ｄＢ）増加させることができる。情報バーストが３回再送信される場合、すなわち、同じ情報バーストが全部で４回送信される場合、送信ノードは、情報バーストが１回のみ送信される場合と比較して約６ｄＢ増加させることができる。
【０００３】
図１Ａには、ＨＡＲＱに従って動作する基地局と移動局との間の情報のやり取りの従来のタイムライン１００が示されている。従来のタイムライン１００では、５つのフレーム１０２、１０４、１０６、１０８及び１１０が示されている。フレームｘ  １０２において、基地局は、ＨＡＲＱアップリンク媒体アクセスプロトコル情報要素（ＨＡＲＱ  ＵＬ  ＭＡＰ  ＩＥ）１２０を移動局へと送信する。ＨＡＲＱ  ＵＬ  ＭＡＰ  ＩＥ１２０は、特定の情報を基地局へ送信するように移動局に指示する。フレームｘ＋１  １０４では、移動局は、ＨＡＲＱ  ＵＬ  ＭＡＰ  ＩＥ１２０に応答して、特定の情報のＨＡＲＱ  ＵＬ送信（ＨＡＲＱ  ＵＬ  ＴＸ）バースト１２２を基地局に送信する。
【０００４】
基地局は、ＨＡＲＱ  ＵＬ  ＴＸバースト１２２を受信し、エラーが存在しないかチェックするために受信したバーストの処理を行う。この例では、受信されたＨＡＲＱ  ＵＬ  ＴＸバースト１２２にはエラーが存在し、基地局は、フレームｘ＋３  １０８において、別のＨＡＲＱ  ＵＬ  ＭＡＰ  ＩＥ１２４を送信して、移動局に前記特定の情報を再送するように指示する。ＵＬ  ＭＡＰ１２４を受信した後、移動局は、フレームｘ＋４  １１０において前記特定の情報のＨＡＲＱ  ＵＬ再送（ＨＡＲＱ  ＵＬ  ｒｅＴＸ）バースト１２６を基地局に送信する。
【０００５】
ＨＡＲＱ  ＵＬ  ＴＸバースト１２２とＨＡＲＱ  ＵＬ  ｒｅＴＸバースト１２６との間の時間間隔は、ＨＡＲＱ往復時間（Round Trip Time：ＲＴＴ）１３２として示されており、ここでは、例として、３フレーム分に設定されている。ＨＡＲＱ  ＲＴＴは、同じＨＡＲＱチャネルにおける、特定の情報バーストと当該特定の情報の再送（又は、別の情報バーストの新たな送信）との間の最小時間である。
【０００６】
反復符号化（Repetition coding）は、送信の信頼性を高めることができる技術の１つである。例えば、反復係数２を有する反復符号化スキームでは、図１Ｂに示すように、送信すべき各ビットを２回繰り返し、送信に必要なスロットの数を２倍にする。しかしながら、送信ノードが送信可能な全電力が制限されている場合には、反復符号は、送信の信頼性を向上させる役割を果たさない。なぜなら、反復符号を使用しない場合の送信が最大全電力を必要とすると仮定すると、２倍のトーンを送信するために、１トーン当りのパワーを半分にしなければならないからである。
【０００７】
本発明の実施形態の特徴及び利点が、以下に詳細に記載する特徴から明らかとなるであろう。
【図面の簡単な説明】
【０００８】
【図１Ａ】ハイブリッド自動再送要求プロトコルに従って動作する基地局及び移動局の間の情報のやり取りの従来のタイムラインを示した図である。
【図１Ｂ】反復符号を使用した場合と使用しない場合の従来技術のチャネル割り当てを示した図である。
【図２】本発明の一実施形態に係る無線システムを示した図である。
【図３】本発明の一実施形態に係るノードのプロトコル構造を示した図である。
【図４】本発明の一実施形態に係る基地局と移動局との間の情報のやり取りのタイムラインを示した図である。
【図５】本発明の一実施形態に係る無線システムのリンクバジェットを改善する段階を示したフローチャートである。
【図６】本発明の一実施形態に係る方法を実装するシステムのブロック図である。
【発明を実施するための形態】
【０００９】
以下、発明の実施の形態が例示されるが、これらは図面に示された構成によって限定されるものではない。図示の単純化及び明瞭化のために、図示された要素は必ずしも実寸法で描かれていない。例えば、いくつかの要素の寸法は、明瞭化のために他の要素に比べて拡大して描かれていることがある。らに、適切であると考えられる場合、対応する又は類似する要素を示すのに参照番号が図面間で繰り返し使用されている。また、本明細書において、本発明の「一実施形態」又は「ある実施形態」とは、実施形態に関連する特定の特徴、構造及び特性が、少なくとも本発明の実施形態の一つに含まれていることを意味する。したがって、本明細書中の様々な箇所で使用されている「一実施形態において」という表現は、必ずしも同一の実施形態を示していない。
【００１０】
本発明の実施形態は、ＨＡＲＱを使用した無線システムのリンクバジェットを改善する方法及びシステムを提供する。高速ＨＡＲＱは、少なくとも部分的に、ＨＡＲＱプロトコルに準拠する。本発明の一実施形態では、無線システムは、これに限定されないが、無線で情報を交換可能な２つ以上のノードを備える。ノードは、これに限定されないが、基地局、移動局又はリモート局、デスクトップコンピュータ、ラップトップコンピュータ、ノートブックコンピュータ、ネットブックコンピュータ、パーソナルデジタルアシスタント（ＰＤＡ）、サーバー、ワークステーション、携帯電話、モバイルコンピュータ等を含む。
【００１１】
本発明の一実施形態において、ノードは、通信規格を使用して通信を行う。通信規格としては、これに限定されないが、例えば、電気電子技術者協会（ＩＥＥＥ）８０２．１６ファミリーの規格、第３世代パートナーシッププロジェクト（３ＧＰＰ）ロングタームエボリューション（ＬＴＥ）規格、高速ダウンリンクパケットアクセス（ＨＳＤＰＡ）規格、又は、その他のＨＡＲＱプロトコルを実装又は利用可能な有線又は無線規格が含まれる。
【００１２】
図２には、本発明の一実施形態に係る無線システム２００が示されている。図示を明確にするために、無線システム２００には、１つの移動局２１０及び１つの基地局２２０のみが示されている。無線システム２００は、１以上の基地局を含んでもよく、各基地局２２０は、１以上の移動局２１０をサポートしてもよい。
【００１３】
本発明の一実施形態では、移動局２１０は、媒体アクセス制御（ＭＡＣ）ロジック２１４に接続された制御ロジック２１２を有する。制御ロジック２１２は、移動局２１０が、以下で説明される無線通信プロトコルに従う無線局として機能することを可能にする。ＭＡＣロジック２１４は、移動局２１０と基地局２２０との間の信号伝達を制御し、アンテナ２１８と結合された物理層（ＰＨＹ）ロジック２１６も制御する。
【００１４】
本発明の一実施形態において、基地局２２０は、ＭＡＣロジック２２４と結合された制御ロジック２２２を有する。制御ロジック２２２は、基地局２２０が、以下で説明される無線通信プロトコルに従う無線局として機能することを可能にする。また、制御ロジックは、基地局２２０に接続された移動局間の情報交換を容易にする。ＭＡＣロジック２２４は、移動局２１０と基地局２２０との間の信号伝達を制御し、アンテナ２２８と結合された物理層（ＰＨＹ）ロジック２２６も制御する。アンテナ２１８及び２２８は、無線通信リンク又は無線チャネル３２０を介して通信を行う。通信リンク２３０の品質及び信頼性は、１以上の要因に依存し、これに限定されないが、アンテナ２１８とアンテナ２２８との間の距離、その他のデバイス又は局からの干渉、マルチパス損失、クロストーク、移動局の移動性、シャドーイング、マルチパスフェージング等に依存する。
【００１５】
本発明の一実施形態において、基地局２２０のＭＡＣロジック２２４は、移動局２１０との通信リンク２３０の品質が良好でないか否かを判断する。基地局２２０におけるＭＡＣロジック２２４が品質が良好でないと判断すると、本発明の一実施形態では、基地局２２０は、移動局２１０から受信した同じ情報を処理する前に、高速ＨＡＲＱプロトコルを使用して、移動局２１０に、複数の次の又は連続した通信間隔の各々において同じ情報を基地局２２０に送信するように指示する。本発明の一実施形態では、高速ＨＡＲＱプロトコルを使用することによって、基地局２２０は、特定のバーストの再送信が必要かを判断するのに掛かる処理時間を待つ必要がないので、移動局２１０からの特定バーストの再送信の要求に掛かる時間を短縮できる。
【００１６】
基地局２２０は、移動局２１０から受信した同じ情報を処理する前に、連続した複数の通信間隔において、移動局２１０に対して、基地局２２０に同じ情報を送信するように通知することができる。本発明の一実施形態において、高速ＨＡＲＱプロトコルを採用した無線システム２００では、基地局２２０と移動局２１０との間の情報の再送信のための信号伝達時間が削減されるので、低いレイテンシのトラフィックをサポートすることができる。
【００１７】
基地局２２０は、移動局２１０に、移動局２１０から受信された同じ情報を処理する前に、連続した複数の複数の通信間隔の各々において、同じ情報を基地局２２０に送信するように通知するのに、幾つかの異なる方法を使用することができる。例えば、本発明の一実施形態では、移動局２１０及び基地局２２０が、ＩＥＥＥ８０２．１６ｅ−２００５規格（ＩＥＥＥ８０２．１６ｅ−２００５、"IEEE Standard for Local and Metropolitan Area Networks Part 16: Air Interface for Fixed and Mobile Broadband Wireless Access Systems"（"ローカル及びメトロポリタンエリアネットワークのためのＩＥＥＥ規格、パート１６：固定及び移動ブロードバンド無線アクセスシステムのための無線インターフェース"）ＩＥＥＥ規格８０２．１６ｅ−２００５及びＩＥＥＥ規格８０２．１６−２００４／Ｃｏｒ１−２００５）に準拠して通信を行っている場合、基地局２２０は、移動局２１０の連続した複数のフレーム又は通信間隔の各々においてＨＡＲＱ  ＵＬ  ＭＡＰ  ＩＥを送信することによって、移動局２１０に指示を行う。ＨＡＲＱ  ＵＬ  ＭＡＰ  ＩＥは、移動局２１０に、同一の情報を送信するように指示する。
【００１８】
本発明の一実施形態において、基地局２２０は、同じＡＲＱ識別子シーケンス（ＡＬ＿ＳＮ）フィールド又はビットをＨＡＲＱ  ＵＬ  ＭＡＰ  ＩＥに設定して、移動局２１０に、同じ情報をもう一度再送信するように指示する。本発明の別の実施形態では、基地局２２０は、レジスタの１以上のビットを移動局２１０に設定して、移動局２１０に、連続した複数のフレームで同じ情報を送信するように指示する。
【００１９】
本発明の別の実施形態では、基地局２２０は、ＨＡＲＱプロトコルに準拠しない信号伝達プロトコルを使用して、移動局２１０に連続した複数のフレームで同じ情報を送信するように指示してもよい。当業者であれば、本発明の実施に影響することなく、その他の通知又は信号伝達方法を利用でき、また、その他の方法を本発明に適用可能であることは理解できる。
【００２０】
移動局２１０及び基地局２２０における制御ロジック、ＭＡＣロジック及びＰＨＹ層ロジックは、ハードウェア、ソフトウェア及び／又はファームウェのいかなる組み合わせに実装されてもよい。また、あるブロックの１以上の機能は、別のブロックの少なくとも一部によって実行されてもよい。例えば、本発明の一実施形態において、制御ロジック２２２は、ＭＡＣロジック２２４の替わりに、ＭＡＣロジック２２４の１以上の機能を実行してもよい。
【００２１】
図３には、本発明の一実施形態に係るノードのプロトコル構造３００が示されている。プロトコル構造３００は、少なくとも一部、ＩＥＥＥ８０２．１６ｍ−０８／００３ｒ８システム規定ドキュメント（ＳＤＤ）（IEEE 802.16m-08/003r8 SDD, "IEEE 802.16m System Description Document [Draft]"（"ＩＥＥＥ802.16m システム規定ドキュメント［下書き］"、ＩＥＥＥ ８０２．１６ブロードバンド無線アクセスワーキンググループ、２００９年４月１０日）に準拠する。
【００２２】
プロトコル構造３００は、ネットワーク層３１０、ＭＡＣ層３２０及びＰＨＹ層３６０を有する。本発明の一実施形態において、プロトコル構造３００は、基地局２２０に実装されて、高速ＨＡＲＱを使用して無線システム２００のリンクバジェットを改善する。
【００２３】
ＭＡＣ層３２０は、２つのサブレイヤとして、ＭＡＣ共通部分サブレイヤ３３０及びコンバージェンスサブレイヤ（convergence sub layer）３５０を有する。コンバージェンスサブレイヤ３５０は、分類規則に従ってパケットを分類し、パケットを特定のトランスポート接続にマップする。パケットが、ＡＲＱ接続と関連付けられる場合、ＡＲＱブロック３４０は、パケットを論理的に複数のＡＲＱブロックへと分割する。スケジュールした後、パケットは、フラグメンテーション／パッキングブロック３４１によってフラグメント化又はパック化されてもよく、必要に応じてサブヘッダが付加される。ＭＡＣプロトコルデータユニット（ＰＤＵ）形成ブロック３４２はまた、暗号化ブロック３４３を使用してパケット及びサブヘッダを暗号化し、ＭＡＣ  ＰＤＵユニット（ＭＰＤＵ）を形成するべく、一般ＭＡＣヘッダを付加する。
【００２４】
ＭＡＣ共通部分サブレイヤ３３０は、トラフィック負荷に基づいて無線ネットワークパラメータを調整し、負荷制御又はバランシング、許可制御及び干渉制御を実行する無線リソース制御管理（ＲＲＣＭ）ブロック３３１を有する。スリープモード管理ブロック３３２は、スリープモードオペレーションを扱い、スリープオペレーションに関するＭＡＣ信号を生成する。サービス品質（ＱｏＳ）ブロック３３３は、各接続についてＱｏＳ管理を行う。スケジューリング及びリソース多重化ブロック３３４は、接続の特性に基づいて、パケットをスケジュール及び多重化する。スリープモード管理ブロック３３２は、スケジューリング及びリソース多重化ブロック３３４と通信して、スリープ期間に適切に従って動作する。
【００２５】
ＭＡＣ共通部分サブレイヤ３３０はまた、レンジングモジュール３３６及びリンク適応モジュール３３７を含むＰＨＹ制御ブロック３３５を有する。ＰＨＹ制御ブロック３３５は、これに限定されないが、レンジングモジュール３３６を使用したレンジング、チャネル品質情報（ＣＱＩ）、ＨＡＲＱアクノリッジメント（ＡＣＫ）及びネガティブＡＣＫ（ＮＡＣＫ）等を使用した通信リンクの測定及び／又はフィードバックを含むＰＨＹ信号伝達を扱う。本発明の一実施形態において、ＰＨＹ制御モジュール３３５は、局との通信リンクの品質が良好でないか否かを、通信リンクの品質推定に基づいて判断する。通信リンク又はリンク状態の品質推定は、これに限定されないが、ＣＱＩ、ＨＡＲＱ、ＡＣＫ／ＮＡＣＫ等を含む１以上の要因に基づいて行われる。
【００２６】
リンク適応モジュール３３７は、変調符号化スキーム（ＭＣＳ）及び／又は電力レベルを調整することにより、リンク適応を実行する。本発明の一実施形態において、リンク適応モジュール３３７は、これに限定されないが、通信リンク品質の推定、特定の接続に必要とされるＱｏＳ等を含む１以上の因子を使用して、特定の接続に対するＭＣＳを選択する。例えば、リンク適応モジュール３３７は、リンク状態が良好でない場合には、移動局２１０が使用する、四位相偏移（Quadrature Phase Shift Keying：ＱＰＳＫ）変調、１／２レート、及び、反復係数２の反復符号化スキームを選択してもよい。リンク適応モジュール３３７はまた、リンク状態が更に悪化した場合には、より大きな反復係数を選択してもよい。
【００２７】
本発明の一実施形態において、リンク適応モジュール３３７は、高速ＨＡＲＱプロトコルを使用することによって、無線システム２００のリンクバジェットを改善する。リンク適応モジュール３３７が、移動局２１０によって反復符号スキームが使用されることを検出した場合には、リンク適応モジュールは、制御信号モジュール３３８に、同じ情報を複数の連続フレームで再送する指示を移動局に送信するように要求する。この再送では、反復符号化は使用されない。本発明の一実施形態では、リンク適応モジュール３３７は、制御信号モジュール３３８に、連続した複数のフレームの各々において、同じ情報を再送するよう指示する信号を移動局２１０に対して送信するよう要求を送信する。本発明の別の実施形態では、リンク適応モジュール３３７は、制御信号モジュール３３８の機能を実行し、複数の連続フレームの各々において、同じ情報の再送信を移動局２１０に信号で通知する。
【００２８】
本発明の一実施形態では、リンク適応モジュール３３７はまた、反復符号化スキームの反復係数を検出する。本発明の一実施形態では、リンク適応モジュール３３７は、反復係数に等しい複数の連続フレームの各々において、移動局２１０に信号による通知を行う。例えば、一実施形態において、反復符号化スキームにおける反復係数が４に設定された場合、リンク適応モジュール３３７は、制御信号モジュール３３８に要求を送信して、制御信号モジュール３３８が、移動局に４連続フレームで同じ情報を送信するように通知するように要求する。
【００２９】
本発明の別の実施形態では、リンク適応モジュール３３７は、反復符号化スキームに設定される反復係数を検出する又は求める必要はない。リンク適応モジュール３３７は、移動局が同じ情報を送信する固定の回数を設定する。例えば、本発明の一実施形態では、リンク適応モジュール３３７が通信リンクの品質が良好でないと判断すると必ず、移動局２１０に同じ情報を３連続フレームで送信させる通知を送信するように、制御信号モジュール３３８に要求を送信する。本発明の一実施形態では、移動局２１０及び基地局２２０が、ＩＥＥＥ８０２．１６ｅ−２００５規格に従って通信を行う場合には、制御信号モジュール３３８は、ＨＡＲＱ  ＵＬ  ＭＡＰ  ＩＥを連続した複数のフレーム又は通信間隔の各々で移動局２１０に送信することにより、移動局２１０に指示を行ってもよい。
【００３０】
当業者であれば、複数の送信を選択するその他の方法を使用することができ、これらその他の方法を、本発明の実施に影響することなく適用可能であることは理解できる。本発明の別の実施形態では、リンク適応モジュール３３７は、通信リンク品質が良好でない場合に、移動局２１０に、反復符号化スキームを使用せずに情報を送信するよう指示する。このようにすることにより、基地局は、反復符号化スキームを使用するのに、チャネルの量を増やす必要なく、高いリンクバジェットを達成することができる。通信リンクの品質が良好でない場合、基地局２２０が特定のバーストを正確にデコードするために、移動局２１０は、特定のバーストの再送を必要とすると考えられる。特定のバーストを受信するのを待ち、特定のバーストを処理して特定のバーストが正確に受信されなかったことを判断する替わりに、本発明の一実施形態では、基地局２２０は、高速ＨＡＲＱを使用して、特定のバーストを処理する前に、移動局２１０に同じ特定のバーストを再送するよう通知する。
【００３１】
上記の説明では、高速ＨＡＲＱのためのロジックを実行する構成としてリンク適応モジュール３３７が記載されているが、これに限定されない。本発明の別の実施形態では、高速ＨＡＲＱを実行するロジックは、プロトコル構造３００におけるその他のブロックによっても実行可能である。また、図３で示したノードのプロトコル構造３００に限定されない。当業者であれば、プロトコル構造３００における論理ブロックを分離するその他の態様を利用可能であり、その他の態様を、本発明の実施に影響することなく適応可能であることは、容易に理解できる。同様に、当業者であれば、その他の無線通信プロトコルにＨＡＲＱロジックをどのように適用するか容易に理解でき、これらその他の無線通信プロトコルを、本発明の実施に影響することなく適用可能であることが理解できる。
【００３２】
図４には、本発明の一実施形態に係る基地局２２０と移動局２１０との間の情報のやり取りのタイムライン４００が示されている。例示を目的として、本発明の一実施形態では、基地局と移動局との間の信号プロトコルは、少なくともＨＡＲＱ信号プロトコルを使用して動作可能であると仮定している。
【００３３】
タイムライン４００には、６つのフレーム４０２、４０４、４０６、４０８、４１０及び４１２が示されている。本発明の一実施形態では、基地局２２０は、移動局２１０との通信リンク品質が良好でないかを判断する。例えば、本発明の一実施形態では、基地局２２０は、反復符号化スキームが、移動局２１０からのデータバーストの送信において使用されるかを検出する。反復符号化スキームが使用されている場合には、基地局２２０は、移動局２１０との通信リンク品質が良好でないと判断する。本発明の別の実施形態では、基地局２２０は、通信ンリンクの品質を推定する。
【００３４】
例示を目的として、基地局２２０は、移動局によって反復符号化スキームが使用されることを検出し、反復符号化スキームの反復係数が２であると仮定する。フレームｙ４０２では、基地局２２０は、ＨＡＲＱ  ＵＬ  ＭＡＰ  ＩＥ４２０を移動局２１０に送信する。ＨＡＲＱ  ＵＬ  ＭＡＰ  ＩＥ４２０は、特定の情報バーストを基地局２２０へ送信又は再送信するように移動局２１０に指示する。本発明の一実施形態において、ＨＡＲＱ  ＵＬ  ＭＡＰ  ＩＥ４２０はまた、移動局２１０に、反復符号化スキームを使用せずに特定情報のバーストを送信するように指示する。
【００３５】
フレームｙ＋１  ４０４では、基地局２２０は、ＨＡＲＱ  ＵＬ  ＭＡＰ  ＩＥ４２２を移動局２１０に送信する。ＨＡＲＱ  ＵＬ  ＭＡＰ  ＩＥ４２２は、同様な又は同一の特定の情報バーストを基地局２２０へ送信するように移動局２１０に指示する。本発明の一実施形態において、ＨＡＲＱ  ＵＬ  ＭＡＰ  ＩＥ４２２はまた、移動局２１０に、反復符号化スキームを使用せずに同じ特定情報のバーストを送信するように指示する。基地局２２０は、受信された特定の情報の処理を行うことなく、移動局２１０に、連続したフレームｙ  ４０２及びｙ＋１  ４０４において、同じ情報バーストを送信するように信号で通知する。従来技術のタイムライン１００とは異なり、基地局２２０は、特定の情報の受信を待つ必要がなく、また、同じ特定情報を再送信するよう移動局２１０に信号で通知する前に、受信した情報を処理する必要がない。これにより、基地局２２０は、特定情報を問題なく受信する又はデコードする前に２回以上送信を必要とする場合に、時間を節約することができる。
【００３６】
フレームｙ＋１  ４０４では、移動局２１０は、受信したＨＡＲＱ  ＵＬ  ＭＡＰ  ＩＥ４２０に応答して、特定の情報のＨＡＲＱ  ＵＬ  ＴＸバースト４２４を基地局２２０に送信する。同様に、フレームｙ＋２  ４０６において、移動局２１０は、ＨＡＲＱ  ＵＬ  ＭＡＰ  ＩＥ４２２に応答して、特定情報のＨＡＲＱ  ＵＬ  ｒｅＴＸバースト４２６を基地局２２０に送信する。移動局２１０は、別の連続した複数のフレームにおいて、ＴＸバーストを送信する。ＨＡＲＱ  ＵＬ  ＴＸバースト４２４及びＨＡＲＱ  ＵＬ  ｒｅＴＸバースト４２６が基地局２２０で受信されると、基地局２２０は、エラーがないかバーストを処理して確認する。本発明の一実施形態において、基地局２２０は、２つのバーストを合成することによってバーストを処理し、合成されたバーストの巡回冗長符号（cyclic redundancy code：ＣＲＣ）を計算して、特定情報バーストが正しく受信されたかを判断する。２つのバーストの合成は、これに限定されないが、チェイス合成法（Chase combining scheme）、ＩＲ（incremental redundancy）法等に従って実行される。当業者であれば、２つのバーストの合成にＩＲ法が使用される場合、同じ情報ブロックに基づく異なるビットを各バーストが有していたとしても、本発明の実施に影響しないことは理解できる。
【００３７】
例示のため、特定情報のバーストが、フレームｙ＋４  ４１０において正確に受信され、基地局２２０が、移動局２１０と基地局２２０との間の通信リンク品質が良好であると判断したと仮定する。フレームｙ＋４  ４１０において、基地局は、ＨＡＲＱ  ＵＬ  ＭＡＰ  ＩＥ  ４２８を移動局２１０に送信して、移動局２１０に、更に特定情報のバーストを基地局２２０に送信するように指示する。フレームｙ＋５  ４１２において、移動局２１０は、基地局２２０からのＨＡＲＱ  ＵＬ  ＭＡＰ  ＩＥ４２８を受信した後に、他の特定情報バースト４３０のＨＡＲＱ  ＵＬ  ＴＸバーストを送信する。基地局２２０は、ＨＡＲＱ  ＵＬ  ＴＸバースト４２４及びＨＡＲＱ  ＵＬ  ｒｅＴＸバースト４２６を合成した後、基地局２２０が合成したバーストの計算されたＣＲＣが破損（corrupted）していないと判断し他場合、フレームｙ＋４  ４１０では、再送信要求を送信しない。本発明の一実施形態では、移動局２１０は、同じＨＡＲＱチャネルを使用して、その他の特定情報のバースト４３０のＨＡＲＱ  ＵＬ  ＴＸバーストを送信する。
【００３８】
本発明の別の実施形態では、高速ＨＡＲＱ方法を、再送信バーストにも適用する。例えば、本発明の一実施形態では、基地局２２０が、ＨＡＲＱ  ＵＬ  ｒｅＴＸバースト４２６のＣＲＣが破損していると判断した場合、基地局は、連続したフレームｙ＋５  ４１２及びｙ＋６（図４に示されていない）において、ＨＡＲＱ  ＵＬ  ｒｅＴＸバースト４２６の再送信を要求することができる。当業者であれば、ＨＡＲＱプロトコルの別のシナリオでは、高速ＨＡＲＱ法を使用することができ、本発明の実施に影響を与えないことは理解できる。
【００３９】
図では、基地局２２０が、無線システム２００のリンクバジェットを改善するのに高速ＨＡＲＱを使用するノードとして示されているが、これに限定されない。本発明の別の実施形態において、移動局２１０は、高速ＨＡＲＱを用いて、無線システム２００のリンクバジェットを改善することができる。当業者であれば、上記で説明したロジック及び方法を、移動局２１０における高速ＨＡＲＱに適用する方法を容易に理解できる。
【００４０】
移動局２１０が基地局２２０から遠く離れているシナリオ、又は、移動局２１０と基地局２２０との間のリンク状態が良好でないシナリオでは、基地局２２０が高速ＨＡＲＱを使用することにより、移動局２１０のアップリンクバジェットを改善させることができる。低い誤り率（error rate）を達成するためには、移動局２１０は、１トーン当り高出力で基地局２２０に情報を送信しなければならない。しかしながら、移動局２２０のアップリンク電力又は送信電力が限られてしまっている場合、使用できるサブチャネル数及びスロットの数は限定されてしまう。移動局２１０のアップリンクバジェットを改善するために、基地局２２０は、同じ情報の処理を行わずに、移動局２１０に連続した複数の通信間隔の各々おいて同じ情報を送信するように指示する。基地局２２０が同じ情報の第１送信を受信する前に、指示が基地局２２０によって送信される。このようにして、移動局２１０は、基地局２２０において受信される１トーン当りの電力を効率的に増加させることができる。
【００４１】
図５には、本発明の一実施形態に係る無線システム２００のリンクバジェットを改善する段階を示したフローチャート５００である。例示を目的として、フローチャート５００に示される各段階は、送信ノードと通信する受信ノードを参照して説明される。
【００４２】
段階５１０において、受信ノードは、送信ノードと受信ノードとの間のリンク状態が良好でないか否かを確認する。本発明の別の実施形態では、受信ノードは、送信ノードが情報バーストを送信するのに反復符号化法を使用しているかを検出する。使用していない場合には、受信ノードは、標準的な又は従来のＨＡＲＱプロトコルを使用して、送信ノードとの通信を行い、フローは終了する。使用している場合には、段階５２０において、受信ノードは、送信ノードに、Ｘ個の連続するフレームにおいて同じ特定の情報のバーストを送信するように信号で通知又は指示する。本発明の一実施形態において、数Ｘは、送信ノードによって使用される反復符号化法の反復係数である。本発明の別の実施形態では、数Ｘは、所定の数である。本発明の更なる別の実施形態では、数Ｘは、これに限定されないが、ＣＱＩ、ＨＡＲＱ送信の数、最大レイテンシ必要条件等の因子に依存する変数である。数Ｘは、新たな送信又は再送の各々について、異なってもよい。
【００４３】
段階５３０において、受信ノードは、送信ノードからの特定情報のバーストを待つ。段階５４０において、受信ノードは、特定情報のバーストが受信されたかを確認する。受信されていない場合、フローは、段階５３０に戻り、送信ノードからの特定情報のバーストを引き続き待つ。受信されていた場合、段階５５０において、受信ノードは、特定情報のバーストを処理する。本発明の一実施形態において、受信ノードは、受信された特定情報の２以上のバーストを合成して、合成したバーストのＣＲＣを計算することにより、バーストを処理又は解析する。
【００４４】
受信ノードは、バーストのＣＲＣ又は合成されたバーストを確認して、段階５６０においてエラーが存在するか否かを確認する。エラーが存在しない場合、必要に応じて実行される段階５６５において、受信ノードがＸ個の連続フレームにおいて送信ノードへの信号伝達を完了させていないときには、受信ノードは、送信ノードへの信号伝達を停止する。必要に応じて実行される段階５６５において、特定情報が問題なく受信されていた及び／又はデコードされていた場合、受信ノードはまた、送信ノードからのバーストを破棄する。
【００４５】
エラーが存在する場合には、受信ノードは、段階５７０において、送信ノードからまだ受信されていない待ちバーストが存在するかを確認する。例えば、本発明の一実施形態において、受信ノードは、段階５７０において、送信ノードからまだ受信されていない待ちバーストが存在するかを判断するために、Ｘ個のバーストが受信されたかを確認する。受信されている場合には、フロー５００は、段階５３０に戻り、引き続き、送信ノードからの特定情報のバーストを待つ。受信されていない場合には、フロー５００は、段階５２０に戻り、送信ノードに、Ｘ個の連続フレームにおいて、同じ特定情報のバーストを受信ノードに送信するように信号で通知する又は指示する。
【００４６】
フロー５００が、フレームを参照して説明されたが、これに限定されない。通信間隔を分割するその他の方法を、本発明の実施に影響を与えることなく適用することが可能である。フロー５００において、段階のシーケンスはこれに限定されず、本発明の実施に影響することなく、シーケンスを交換することができる。
【００４７】
図６には、本発明の一実施形態に係る方法を実装するシステム６００のブロック図が示されている。システム６００は、これに限定されないが、デスクトップコンピュータ、ラップトップコンピュータ、ノートブックコンピュータ、ネットブックコンピュータ、パーソナルデジタルアシスタント（ＰＤＡ）、サーバー、ワークステーション、携帯電話、モバイルコンピュータ、インターネット機器及びその他の種類のコンピューティングデバイスを含む。別の実施形態では、本明細書に開示する方法を実装するのに使用されるシステム６００は、システムオンチップ（ＳＯＣ）システムであってもよい。
【００４８】
システム６００は、メモリ／グラフィックスコントローラ６２０、及び、Ｉ／Ｏコントローラ６５０を含む。典型的なメモリ／グラフィックスコントローラ６２０は、メモリ及びＩ／Ｏ管理機能を提供し、プロセッサ６１０によってアクセス可能又は利用可能な複数の汎用及び／又は特殊目的レジスタ、タイマ等も提供する。プロセッサ６１０は、１以上のプロセッサを使用して実装されてもよい又はマルチコアプロセッサを使用して実装されてもよい。本発明の別の実施形態では、メモリ／グラフィックスコントローラ６２０は、プロセッサ６１０と一体化されている。
【００４９】
メモリ／グラフィックスコントローラ６２０は、プロセッサ６１０が、揮発性メモリ６４２及び／又は不揮発性メモリ６４４を含むメインメモリ６４０にアクセス及び通信可能にする機能を実行する。不揮発性メモリ６４２は、これに限定されないが、同期型ダイナミックランダムアクセスメモリ（ＳＤＲＡＭ）、ダイナミックランダムアクセスメモリ（ＤＲＡＭ）、ＲＡＭＢＵＳダイナミックランダムアクセスメモリ（ＲＤＲＡＭ）、及び／又は、その他の種類のランダムアクセスメモリデバイスを含む。不揮発性メモリ６４４は、これに限定されないが、ＮＡＮＤフラッシュメモリ、ＲＯＭ、ＥＥＰＲＯＭ、及び／又は、その他の好適な種類のメモリデバイスを含む。メインメモリ６４０は、プロセッサ６１０によって実行される情報及び命令を格納する。メインメモリ６４０は、一時的に変数又はその他の中間情報を格納し、プロセッサ６１０は、命令を実行する。
【００５０】
メモリ／グラフィックスコントローラ６２０は、これに限定されないが、液晶ディスプレイ（ＬＣＤ）、ブラウン管（ＣＲＴ）ディスプレイ、又は、その他の形式の視覚表示デバイスを含む表示装置６３０に接続される。Ｉ／Ｏコントローラ６５０は、これに限定されないが、記憶媒体（メディア）６６０、ネットワークインターフェース６７０、及び、キーボード／マウス６８０と接続される。具体的には、Ｉ／Ｏコントローラ６５０は、プロセッサ６１０が、記憶媒体６６０、ネットワークインターフェース６７０及びキーボード／マウス６８０と通信可能となる機能を実行する。
【００５１】
ネットワークインターフェース６７０は、これに限定するわけではないが、イーサーネット（登録商標）インターフェース、ユニバーサルシリアルバス（ＵＳＢ）、ＰＣＩ（Peripheral Component Interconnect）エクスプレスインターフェース、無線インターフェース及び／又はその他の好適な種類のインターフェースを含む、周知のネットワークインターフェース規格を使用して実装される。無線インターフェースにより、システム６００が、無線ノード又は局として機能することが可能となる。
【００５２】
開示された特徴の実施形態例が説明されたが、当業者であれば、開示された特徴を実装するその他多くの方法を使用することができることは容易に理解できる。上記において、開示された特徴の様々な側面が説明された。本発明の特徴を十分に理解できるよう説明することを目的として、特定の数字、システム及び構成が記載された。しかしながら、これらの特定の詳細事項がなくとも、本発明の特徴実施可能であるということは、本開示の利益を享受する当業者にとって明らかである。また、開示の特徴を不明確にしない目的から、周知の特徴、部品又はモジュールは、省略、単純化、一体化又は分割されている。
【００５３】
また、本明細書で使用されている「動作可能（is operable）」という言葉は、装置又はシステムが電源オフの状態で、装置、システム、プロトコル等が動作可能である、又は所望の機能のために動作するのに採用されるということを意味する。本発明の特徴の様々な実施形態は、ハードウェア、ファームウェア、ソフトウェア、及びこれらの組み合わせにより実装可能であり、プログラムコードを参照することにより又はプログラムコードと併せて説明されている。プログラムコードとしては、例えば、命令、機能、プロセス、データ構造、ロジック、アプリケーションプログラム、又はシミュレーション、エミュレーション及び組み立て設計のための設計表現若しくは形式、であって機械によってアクセスされる場合に機械が実行するタスクとなり、抽象データ型のハードウェアコンテキスト若しくは下層のハードウェアコンテキストを定義する、又は結果を生成する。
【００５４】
図示された技術は、格納されているコード及びデータを使用して実装することができ、汎用コンピュータや汎用コンピュータデバイスのような一つ又は複数のコンピュータデバイス上で実行することができる。そのようなコンピュータデバイスは、機械可読媒体を使用したコード及びデータを記憶し、またコード及びデータを（内部で、そしてネットワーク上の他のコンピュータデバイスと）やり取りする。機械可読媒体としては、機械可読記憶媒体（例えば、磁気ディスク、光学ディスク、ＲＡＭ、ＲＯＭ、フラッシュメモリデバイス、相変化メモリ等）、及び機械可読通信媒体（電気、光、音波又は他の形態の伝搬信号−例えば搬送波、赤外線信号、デジタル信号等）が含まれる。
【００５５】
開示された発明の特徴が、例示された実施形態を参照して説明されたが、上記の説明は、限定する目的で解釈されるべきでない。例示された実施形態及び本発明の特徴の他の実施形態に対して様々な改良を加えることが可能であることは当業者にとって明らかであり、その様な改良を加えた形態も開示された本発明の特徴の範囲内であるとみなされる。以下、本実施形態に係る発明の例を項目として示す。
［項目１］
データバーストの送信に反復符号化法が使用されることを検出する段階と、
反復符号化法を使用しないデータバーストの送信を、少なくとも一部がハイブリッド自動再送要求（ＨＡＲＱ）信号プロトコルに準拠した、連続した複数のフレームの各々において通知する段階と
を備える方法。
［項目２］
反復符号化法が使用されると検出された場合に、反復符号化法の反復係数を検出する段階を更に備え、
連続した複数のフレームの数は、反復係数に等しい項目１に記載の方法。
［項目３］
連続した複数のフレームの各々において、データバーストの送信を通知する段階は、
連続した複数のフレームの各々において、ＨＡＲＱアップリンク媒体アクセスプロトコル情報要素（ＨＡＲＱ  ＵＬ  ＭＡＰ  ＩＥ）を送信する段階を有し、
連続した複数のフレームの各々におけるＨＡＲＱ  ＵＬ  ＭＡＰ  ＩＥは、データバーストの送信を指示する項目１に記載の方法。
［項目４］
連続した複数のフレームの各々における、データバーストの送信を指示するＨＡＲＱ  ＵＬ  ＭＡＰ  ＩＥは、連続した複数のフレームの各々において、ＨＡＲＱ  ＵＬ  ＭＡＰ  ＩＥに同一のＡＲＱ識別子シーケンス（ＡＬ＿ＳＮ）フィールドを設定する項目３に記載の方法。
［項目５］
別の連続した複数のフレームの各々において、送信されたデータバーストを受信する段階と、
少なくとも２つの受信された送信データバーストを、合成データバーストに合成する段階と、
合成データバーストの巡回冗長符号（ＣＲＣ）を計算する段階とを更に備える項目１に記載の方法。
［項目６］
少なくとも２つの受信された送信データバーストの合成は、チェイス合成法（Chase combining scheme）又はＩＲ（incremental redundancy）法に準拠する項目５に記載の方法。
［項目７］
合成データバーストの計算されたＣＲＣが正しくない場合、及び、全ての送信データバーストが受信済みである場合には、連続した複数のフレームの各々で通知を行う段階を繰り返す段階を更に備える項目６に記載の方法。
［項目８］
別の連続した複数のフレームの各々において、送信されたデータバーストを受信する段階は、少なくとも一部、電気電子技術者協会（ＩＥＥＥ）８０２．１６ファミリーの規格、第３世代パートナーシッププロジェクト（３ＧＰＰ）ロングタームエボリューション（ＬＴＥ）規格、又は、高速ダウンリンクパケットアクセス（ＨＳＤＰＡ）規格に準拠する項目５に記載の方法。
［項目９］
第１ノードとの通信リンク品質が良好でないかを判断する段階と、
通信リンク品質が良好でないと判断された場合に、第１ノードから受信された同一の情報を処理する段階の前に、第１ノードに対して、連続した複数の通信間隔の各々において同一の情報を第２ノードに送信するように要求する段階と
を備える方法。
［項目１０］
通信リンク品質が良好でないと判断された場合に、第１ノードが第２ノードに同一の情報を送信するのに、反復符号化法が使用されることを検出する段階を更に備える項目９に記載の方法。
［項目１１］
通信リンク品質が良好でないと判断された場合に、第１ノードに対して、反復符号化法を使用せずに第２ノードに同一の情報を送信することを要求する段階を更に備える項目１０に記載の方法。
［項目１２］
反復符号化法が使用されていると検出した場合に、反復符号化法の反復係数を検出する段階を更に備え、
連続した複数の通信間隔の数は、反復係数に等しい項目１０に記載の方法。
［項目１３］
第１ノードに対して、連続した複数の通信間隔の各々において同一の情報を第２ノードに送信するように要求する段階は、
連続した複数の通信間隔の各々において、ハイブリッド自動再送要求アップリンク媒体アクセスプロトコル情報要素（ＨＡＲＱ  ＵＬ  ＭＡＰ  ＩＥ）を第１ノードに送信する段階を有し、
ＨＡＲＱ  ＵＬ  ＭＡＰ  ＩＥは、第１ノードに対して、同一の情報を第２ノードに送信するように要求する項目９に記載の方法。
［項目１４］
別の連続した複数の通信間隔の各々において、同一の情報を受信する段階を更に備え、
受信された同一の情報を処理する段階は、
少なくとも２つの受信された同一の情報を、合成情報に合成する段階と、
合成情報の巡回冗長符号（ＣＲＣ）を計算する段階とを有する項目９に記載の方法。
［項目１５］
少なくとも２つの受信された同一の情報の合成は、チェイス合成法（Chase combining scheme）又はＩＲ（incremental redundancy）法に準拠する項目１４に記載の方法。
［項目１６］
第１ノード及び第２ノードは、電気電子技術者協会（ＩＥＥＥ）８０２．１６ファミリーの規格、第３世代パートナーシッププロジェクト（３ＧＰＰ）ロングタームエボリューション（ＬＴＥ）規格、又は、高速ダウンリンクパケットアクセス（ＨＳＤＰＡ）規格のうちの１つに準拠する項目９に記載の方法。
［項目１７］
第１ノードは移動局であり、第２ノードは基地局である項目９に記載の方法。
［項目１８］
通信リンクのリンク情報を受信し、受信されたリンク情報に少なくとも一部基づいて、通信リンクを介してバーストを正確に受信する確率が低いことを検出し、受信したバーストを解析することなく、連続した複数のフレームの各々において、バーストの送信を通知する基地局と、
通信リンクを介して基地局と通信可能に接続され、連続した複数のフレームの各々における通知に応答して、バーストを送信する移動局と
を備えるシステム。
［項目１９］
通信リンクを介してバーストを正確に受信する確率が低いことを検出する基地局は、移動局に対して、バーストの送信に反復符号化法を使用することを基地局が指示したことを検出する項目１８に記載のシステム。
［項目２０］
連続した複数のフレームの各々においてバーストの送信を通知する基地局は、反復符号化法を使用しないバーストの送信を、連続した複数のフレームの各々において通知する項目１９に記載のシステム。
［項目２１］
基地局は、バーストの送信に反復符号化法を使用するように移動局に基地局が指示したことを検出した場合に、反復符号化法の反復係数を検出し、
連続した複数のフレームの数は、反復係数に等しい項目２０に記載のシステム。
［項目２２］
連続した複数のフレームの各々においてバーストの送信を通知する基地局は、連続した複数のフレームの各々において、ハイブリッド自動再送要求アップリンク媒体アクセスプロトコル情報要素（ＨＡＲＱ  ＵＬ  ＭＡＰ  ＩＥ）を移動局に送信し、
ＨＡＲＱ  ＵＬ  ＭＡＰ  ＩＥは、移動局に対して、バーストを送信するよう指示する項目１８に記載のシステム。
［項目２３］
基地局は更に、
連続した複数のフレームの各々における通知に応答して、送信されたバーストを受信し、
少なくとも２つの受信された送信バーストを、合成バーストに合成し、
合成バーストの巡回冗長符号（ＣＲＣ）を計算する項目１８に記載のシステム。
［項目２４］
基地局が行う少なくとも２つの送信バーストの合成は、チェイス合成法（Chase combining scheme）又はＩＲ（incremental redundancy）法に準拠する項目２３に記載のシステム。
［項目２５］
基地局は、合成バーストの計算されたＣＲＣが正しくない場合、及び、全ての送信データバーストが受信済みである場合には、連続した複数のフレームの各々でバーストの送信の通知を繰り返す項目２４に記載のシステム。
［項目２６］
合成バーストの計算されたＣＲＣが正しい場合、基地局は、
基地局が、バーストの送信を通知する１以上の連続した残りのフレームを有するときには、通知を停止し、
移動局から受信されたフレームを破棄する項目２４に記載のシステム。
［項目２７］
基地局及び移動局は、電気電子技術者協会（ＩＥＥＥ）８０２．１６ファミリーの規格、第３世代パートナーシッププロジェクト（３ＧＰＰ）ロングタームエボリューション（ＬＴＥ）規格、又は、高速ダウンリンクパケットアクセス（ＨＳＤＰＡ）規格のうちの１つに準拠する項目１８に記載のシステム。
【図１Ａ】
0005455274.tif 000002
【図１Ｂ】
0005455274.tif 000003
【図２】
0005455274.tif 000004
【図３】
0005455274.tif 000005
【図４】
0005455274.tif 000006
【図５】
0005455274.tif 000007
【図６】
0005455274.tif 000008